(57)【特許請求の範囲】
【請求項１】
第１の棒状体と、該第１の棒状体に対し下方に位置する第２の棒状体と、該第１の棒状体及び該第２の棒状体に対し前上方に位置する切断手段と、を備えるロールペーパーホルダー装置であって、
前記第１の棒状体は上下方向に移動可能であり、下位置にある前記第１の棒状体と前記第２の棒状体とは当接し、
ロールペーパーを前記切断手段により切断する場合、
前記ロールペーパーは、前記第１の棒状体と前記第２の棒状体との間を通過し、
前記下位置にある第１の棒状体は、前記ロールペーパーにより上方向に押し上げられることを特徴とするロールペーパーホルダー装置。
【請求項２】
前記第１の棒状体は、前記第２の棒状体の中心に対し前方に位置することを特徴とする請求項１に記載のロールペーパーホルダー装置。
【請求項３】
前記第２の棒状体は、前記ロールペーパーの引き出し方向に回転可能であることを特徴とする請求項１又は２に記載のロールペーパーホルダー装置。
【請求項４】
前記第２の棒状体は、左右に分離した二つの棒状体で構成されることを特徴とする請求項１乃至３の何れか一に記載のロールペーパーホルダー装置。
【請求項５】
前記第２の棒状体は、弾性を備えていることを特徴とする請求項１乃至４の何れか一に記載のロールペーパーホルダー装置。
【発明の詳細な説明】
【技術分野】
【０００１】
トイレットペーパーなどを保持する装置の技術に関する。
【背景技術】
【０００２】
トイレに設置されるトイレットペーパーホルダー装置に関し、種々の技術開発がなされている。例えば、ロール状のトイレットペーパーは、切断手段（例えば、カッターなど）を用いて所定長に切断して使用するが、切断した後のトイレットペーパー端部がロール本体に巻き付き、次回使用時の取り出しが困難になるという問題点が有る。
【０００３】
特許文献１などでは上記問題点に対し、ロールペーパーの支持手段と、該支持手段の上方に位置し後方部で回動自在に枢支すると共に前方端部にロールペーパーのカッター手段を有するカバー手段とからなるロールペーパーのホルダー装置において、該カバー手段の下方に、該カバー手段の自重により前記ロールペーパーの周面に当接するローラを軸支したことを特徴とする装置を提供することによって解決しようとしている。
【先行技術文献】
【特許文献】
【０００４】
【特許文献１】特開２００５−２６１７９３号公報
【発明の概要】
【発明が解決しようとする課題】
【０００５】
従来のトイレットペーパーホルダー装置において、装置に装着されたロール状ペーパーを引き出す場合、前回使用時の切断部分がペーパー本体に密着しているため、当該装置の蓋を操作し、又はロール状ペーパー本体を操作する必要が有る。そのため、ロール状ペーパーの使用者は、両手を使った操作を強いられるという問題点が有る。これは特に、体の不自由な障害者や病中の患者にとっては大きな負担となる。
【０００６】
また、上記操作を行う必要があるため、使用者とトイレットペーパーボルダー装置とが直接接触する機会が生じてしまい、これは特に、病院内に設置されるトイレなどにおいて細菌・ウイルスの感染を拡大させる可能性が有るという面で大きな問題となる。
【０００７】
したがって、本発明では、上記問題点に鑑み、トイレットペーパー引き出しの操作が容易であり、衛生的な環境を維持するロールペーパーホルダー装置を提供することを目的とする。
【課題を解決するための手段】
【０００８】
開示するロールペーパーホルダー装置は、第１の棒状体と、該第１の棒状体に対し下方に位置する第２の棒状体と、該第１の棒状体及び該第２の棒状体に対し前上方に位置する切断手段と、を備えるロールペーパーホルダー装置であって、前記第１の棒状体は上下方向に移動可能であり、下位置にある前記第１の棒状体と前記第２の棒状体とは当接し、前記ロールペーパーを前記切断手段により切断する場合、前記ロールペーパーは、前記第１の棒状体と前記第２の棒状体との間を通過し、前記下位置にある第１の棒状体は、前記ロールペーパーにより上方向に押し上げられることを特徴とする。
さらに、開示するロールペーパーホルダー装置の一形態において、前記第１の棒状体は、前記第２の棒状体の中心に対し前方に位置することを特徴とする。
【０００９】
さらに、開示するロールペーパーホルダー装置の一形態において、前記第２の棒状体は、前記ロールペーパーの引き出し方向に回転可能であることを特徴とする。
さらに、開示するロールペーパーホルダー装置の一形態において、前記第２の棒状体は、左右に分離した二つの棒状体で構成されることを特徴とする。
さらに、開示するロールペーパーホルダー装置の一形態において、前記第２の棒状体は、弾性を備えていることを特徴とする。
【発明の効果】
【００１０】
開示のロールペーパーホルダー装置は、トイレットペーパー引き出しの操作が容易であり、衛生的な環境を維持することができる。
【図面の簡単な説明】
【００１１】
【図１】本実施の形態に係るロールペーパーホルダー装置の概観図である。
【図２】本実施の形態に係るロールペーパーホルダー装置の正面図である。
【図３】本実施の形態に係るロールペーパーホルダー装置の側面図である。
【図４】本実施の形態に係るロールペーパーホルダー装置の使用状態説明図（その１）である。
【図５】本実施の形態に係るロールペーパーホルダー装置の使用状態説明図（その２）である。
【発明を実施するための形態】
【００１２】
図面を参照しながら、本発明を実施するための形態について説明する。
（本実施の形態に係るロールペーパーホルダー装置の構造）
図１及び２を用いて、本実施の形態に係るロールペーパーホルダー装置１の構造について説明する。ここで図１は、ロールペーパーホルダー装置１の概観図であり、図２は、ロールペーパーホルダー装置１の正面図である。図１又は図２で示すように、ロールペーパーホルダー装置１は、ホルダー本体２０、ホルダー蓋２２、切断手段３０、第１の棒状体４０、ガイド溝５０、第２の棒状体６０を備える。
【００１３】
ホルダー本体２０は、ロールペーパーホルダー装置１が保持するトイレットペーパー１０を支持する部位である。例えば、ホルダー本体２０は、トイレットペーパー１０の中心に空く孔１２に棒状の支持体を挿入し、トイレットペーパー１０を支持する。
【００１４】
ホルダー蓋２２は、トイレットペーパー１０に塵、ほこりなどが付着することを防止すると共に、切断手段３０を支持する機能を果たす。一方、切断手段３０は、ホルダー蓋２２の先端に設置され、トイレットペーパー１０を引き出して使用する場合、ロール本体から使用する分を切り離す機能を果たす。切断手段３０は、例えば、トイレットペーパー１０を切断するために細かい歯を備えた構造である。
【００１５】
第１の棒状体４０は、ガイド溝５０に沿って上下方向に移動可能な棒状体であり、ホルダー蓋２２の下部に位置する。また、第１の棒状体４０は、切断手段３０よりも内側（ペーパー引き出し方向の後ろ側）に位置する。
【００１６】
第２の棒状体６０は、第１の棒状体４０の下部に位置する。そして、第１の棒状体４０が可動範囲の下位置にある場合、第２の棒状体６０は、第１の棒状体４０と当接する。さらに、第２の棒状体６０の中心位置は、第１の棒状体４０の位置より内側（ペーパー引き出し方向の後ろ側）に位置する。また、第２の棒状体６０は、トイレットペーパー１０の引き出し方向に回転可能な構成であっても良い。さらに、第２の棒状体６０は、弾性を有する材料で形成されても良い。
【００１７】
第２の棒状体６０は、１つの棒状体で構成されても良いが、図１及び図２で示すように、トイレットペーパー１０の引き出し方向左右に分離した２つの棒状体６２、６４で構成される形態であっても良い。後者の場合、第２の棒状体６０は、開口部７０を備えることとなる。
【００１８】
トイレットペーパー１０を引き出して使用する場合、トイレットペーパー１０は第１の棒状体４０と第２の棒状体６０との間から引き出された後、切断手段３０で切断される。その際、第２の棒状体６０が開口部７０を備えている場合、開口部７０より手を入れてトイレットペーパー１０を掴むことできるため、トイレットペーパー１０の引き出し操作が容易となる。
また、ホルダー蓋２２は、トイレットペーパー１０の引き出し方向左右両端にガイド溝５０を備え、当該左右両端で第２の棒状体６０を支持する。
【００１９】
（本実施の形態に係るロールペーパーホルダー装置の動作）
図３を用いて、ロールペーパーホルダー装置１の動作について説明する。ここで図３は、ロールペーパーホルダー装置１を側面から見た図である。図３で示すように、トイレットペーパー１０の使用者は、トイレットペーパー１０の先端部を第１の棒状体４０と第２の棒状体６０との間に通した後、引き出し方向に使用する分を引き出し、ホルダー蓋２２の先端に支持される切断手段３０を利用してトイレットペーパー１０を切断する。
【００２０】
上記のように使用者がトイレットペーパー１０を引き出す場合、第１の棒状体４０はトイレットペーパー１０を介して上方に押し上げられる。そして、使用者が使用する分のトイレットペーパーを切断手段３０により切断すると、ロール本体から離れたトイレットペーパー１０は、第１の棒状体４０の自重による下方移動に伴い切断手段３０から剥離する。
【００２１】
次に図４及び図５を用いて、ロールペーパーホルダー装置１の動作を詳しく説明する。ここで図４及び図５は、ロールペーパーホルダー装置１の使用状態を説明する図である。図４で示すように、説明の都合上、ロールペーパー１０と第１の棒状体４０との接点をａ点とし、ロールペーパー１０と切断手段３０との接点をｂ点とする。また、便宜上、ａ点とｂ点との長さをｔとし、ａ点とｂ点とを結ぶ線とガイド溝５０とのなす角をθとする。
【００２２】
使用者がトイレットペーパー１０を切断しようとする場合、第１の棒状体４０とトイレットペーパー１０はａ点で接しているため、トイレットペーパー１０が引き出されると、第１の棒状体４０はトイレットペーパー１０によって上方に押し上げられる。そして、トイレットペーパー１０はｂ点で切断されると、第１の棒状体４０の自重による下方移動に伴い下方向の力を受け、切断手段３０から剥離される。トイレットペーパー１０は、引き出し方向に長さｔが残る。ここで、切断手段３０が備える歯の角度は、角度θの大きさにより適宜変更することが好ましい。
【００２３】
そして図５で示すように、第１の棒状体４０が自重により下方移動した後、トイレットペーパー１０は、第１の棒状体４０から引き出し方向前方に長さｔだけ飛び出すこととなる。第１の棒状体４０が下方に位置する場合、第１の棒状体４０と第２の棒状体６０とは当接するため、トイレットペーパー１０はａ点において第１の棒状体４０と第２の棒状体６０とに挟まれ、トイレットペーパー１０の飛び出した部分が上方に浮き上がることとなる。ここで第２の棒状体６０が弾性を有する材料で構成される場合、第１の棒状体４０が第２の棒状体６０に食い込むため、トイレットペーパー１０の飛び出し部分が上方に浮き上がる作用は大きくなる。
【００２４】
また、第１の棒状体４０と第２の棒状体６０とでトイレットペーパー１０を挟み込むことにより、トイレットペーパー１０の飛び出した部分がロール本体へ巻戻ることを防止する。さらに、第２の棒状体６０がトイレットペーパー１０の引き出し方向にのみ回転自在であれば、トイレットペーパー１０の飛び出した部分がロール本体へ巻戻ることを防止する効果は高まる。
【００２５】
（総括）
開示するロールペーパーホルダー装置においては、前回使用時の切断箇所（引き出し部分）が切断手段から剥離されていると共に、ロール本体にも巻き付かないため、トイレットペーパー引き出しの操作が容易である。
【００２６】
さらに、開示するロールペーパーホルダー装置は、片手のみでトイレットペーパーの引き出し操作及び切断操作が可能であるため、ハンディーキャッパーや高齢の方々に対しても有用である。
【００２７】
開示するロールペーパーホルダー装置において、使用者は、トイレットペーパーの飛び出し部分を目で確認でき、ホルダー本体やホルダー蓋に触れることなくトイレットペーパーを引き出すことが可能であるため、衛生的な環境を維持することができる。
【００２８】
一方で、開示するロールペーパーホルダー装置は、取り出し操作及び切断操作の不便さに伴う不必要なトイレットペーパーの使用も軽減することができるため、資源浪費の防止対策にも有用である。
【００２９】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００３０】
１    ロールペーパーホルダー装置
１０  トイレットペーパー
１２  軸
２０  ホルダー本体
２２  ホルダー蓋
３０  切断手段
４０  第１の棒状体
５０  ガイド溝
６０  第２の棒状体
６２  第２の棒状体（左部）
６４  第２の棒状体（右部）
７０  開口部
【図１】
0005667793.tif 000002
【図２】
0005667793.tif 000003
【図３】
0005667793.tif 000004
【図４】
0005667793.tif 000005
【図５】
0005667793.tif 000006